(57)【要約】【課題】  軽量のエレベータ移動ケーブルを提供する。【解決手段】  実例となる例示的なエレベータ移動ケーブルは、電気エネルギー及び通信信号の少なくとも１つを伝達するために構成された複数の導電体を含んでいる。ジャケットは、複数の導電体をカバーしている。少なくとも１つの荷重支持部材は、移動ケーブルの重量を支持するとともに、液晶ポリマを含んでいる。【選択図】図２
2018197166.tif 000002
【特許請求の範囲】
【請求項１】
エレベータ移動ケーブルであって、
電気エネルギー及び通信信号のうち少なくとも１つを伝達するように構成された複数の導電体と、
前記複数の導電体をカバーするジャケットと、
前記移動ケーブルの重量を支持する少なくとも１つの荷重支持部材であって、液晶ポリマを備えた、少なくとも１つの荷重支持部材と、
を備えた、エレベータ移動ケーブル。
【請求項２】
前記少なくとも１つの荷重支持部材が、液晶ポリマのみで構成されている、請求項１に記載のエレベータ移動ケーブル。
【請求項３】
前記少なくとも１つの荷重支持部材が、それぞれ、液晶ポリマを備えた複数の荷重支持部材を備えた、請求項１に記載のエレベータ移動ケーブル。
【請求項４】
前記導電体の少なくともいくつかが、液晶ポリマの中心コアと、前記コア上の少なくとも１つの金属コーティングと、を備えている、請求項１に記載のエレベータ移動ケーブル。
【請求項５】
前記少なくとも１つの荷重支持部材が、前記ジャケット内に配置されている、請求項１に記載のエレベータ移動ケーブル。
【請求項６】
請求項１に記載のエレベータ移動ケーブルを含むエレベータシステム。
【発明の詳細な説明】
【技術分野】
【０００１】
（関連出願の相互参照）
本出願は、２０１７年５月２３日に出願された米国特許仮出願第６２／５０９，９２６号の優先権を主張する。
【背景技術】
【０００２】
エレベータシステムは通常、エレベータの昇降路内での移動のために配置されたエレベータのかごを含んでいる。移動ケーブルは、かごの電気部品に給電するために、エレベータのかごと関連づけられている。移動ケーブルは、かごの操作パネルなどのかごベースの構成要素と、エレベータシステムの他の部分との間で信号を通信するためにも使用される。
【発明の概要】
【発明が解決しようとする課題】
【０００３】
高層ビル及び超高層ビルでは、移動ケーブルの長さのために、移動ケーブルの重量は重要である。そのような重量を補整装置の一部として有用とすることができる一方、従来の移動ケーブルのいくつかに関連する欠点が存在する。たとえば、超高層ビルのエレベータシステムでは、ケーブル自体の重量により、ケーブルを支持することの困難性を生じ得る。さらに、より重い移動ケーブルは、いくつかの条件下では、エレベータのかごを引き上げるために、さらなる力を必要とする。
【課題を解決するための手段】
【０００４】
例示的なエレベータ移動ケーブルは、電気エネルギー及び通信信号のうち少なくとも１つを伝達するために構成された複数の導電体を含んでいる。ジャケットは、複数の導電体をカバーしている。移動ケーブルは、少なくとも１つの荷重支持部材を含んでいる。荷重支持部材は、移動ケーブルの重量を支持するとともに、液晶ポリマを含んでいる。
【０００５】
前段のエレベータ移動ケーブルの１つまたは複数の特徴を有する例示的実施形態では、少なくとも１つの荷重支持部材は、もっぱら液晶ポリマで構成されている。
【０００６】
前段のいずれかのエレベータ移動ケーブルの１つまたは複数の特徴を有する例示的実施形態では、少なくとも１つの荷重支持部材は、各々が液晶ポリマを含む複数の荷重支持部材を含んでいる。
【０００７】
前段のいずれかのエレベータ移動ケーブルの１つまたは複数の特徴を有する例示的実施形態では、導電体の少なくともいくつかは、液晶ポリマの中心コアと、コア上の少なくとも１つの金属コーティングと、を備えている。
【０００８】
前段のいずれかのエレベータ移動ケーブルの１つまたは複数の特徴を有する例示的実施形態では、少なくとも１つの荷重支持部材は、ジャケット内に位置している。
【０００９】
エレベータシステムの実例となる例示的実施形態には、前段のいずれかのエレベータ移動ケーブルの１つまたは複数の特徴を有するエレベータ移動ケーブルが含まれる。
【００１０】
少なくとも１つの開示の例示的実施形態の様々な特徴及び利点は、以下の詳細な記載から、当業者には明らかになるであろう。詳細な記載に添付する図面は、以下のように概略的に記載することができる。
【図面の簡単な説明】
【００１１】
【図１】本発明の一実施形態に従って設計された移動ケーブルを含む、エレベータシステムの選択された部分を示す概略図である。
【図２】本発明の一実施形態に従って設計されたエレベータ移動ケーブルの選択された部分を示す略図である。
【図３】液晶ポリマを含む例示的荷重支持部材の図である。
【図４】液晶ポリマコアを含む例示的導電体の断面図である。
【発明を実施するための形態】
【００１２】
図１は、エレベータシステム２０の選択された部分を示す概略図である。エレベータのかご２２は、関連する移動ケーブル２４を有している。移動ケーブルの一方の端部２６は、エレベータのかご２２と結合しており、一方、移動ケーブル２４の反対側の端部２８は、信号及び電力源デバイス３２と結合している。移動ケーブル２４は、エレベータのかご２２内の構成要素への電力の提供を容易にする。移動ケーブル２４は、エレベータのかご２２内のかごの操作パネル（図示せず）上での、乗客の行先の選択に基づく、エレベータのコントローラへのコールの登録などの目的のために、エレベータのかご２２とデバイス３２との間の信号の通信に役立つ。
【００１３】
図２は、移動ケーブル２４の例示的実施形態を示している。複数の導電体４０と複数の荷重支持部材４２とが、ジャケット４４内に位置している。導電体４０は、たとえば、エレベータのかご２２とデバイス３２との間で、電気エネルギー、信号、またはその両方を伝達する。荷重支持部材４２は、移動ケーブル２４の荷重または重量を支持し、ケーブル２４の強度を上げるために補強する。導電体４０及び荷重支持部材４２の構成は、議論の目的のために一実施例として提供される、図２に示す特定の構成と異なってもよい。
【００１４】
荷重支持部材４２は、液晶ポリマファイバを含んでいる。一実施例では、液晶ポリマは、４−ヒドロキシ安息香酸と、６−ヒドロキシナフタレン−２−カルボン酸との重縮合によって生成された芳香族ポリエステルである。液晶ポリマは、荷重支持部材４２を軽量かつ高強度にする。いくつかの実施例では、荷重支持部材４２全体が、もっぱら液晶ポリマ材料で構成されている。他の実施例では、荷重支持部材４２は、液晶ポリマと、少なくとも１つの他の軽量の、高強度ファイバとの組合せを含んでいる。そのような実施形態に使用される例示的ファイバには、グラス、超高分子量ポリエチレン／ポリプロピレン、ポリベンゾオキサゾール、ナイロン、及びカーボンが含まれる。液晶ポリマは、いくつかの実施形態では、マトリクスシステム内でそのようなファイバと組み合わせられる。
【００１５】
液晶ポリマの荷重支持部材の特徴の１つは、それら部材が、スチールまたはカーボンファイバの荷重支持部材よりも単位体積あたり、より軽量であることである。さらに、カーボンファイバまたはグラスファイバは、マトリクスを必要とするが、液晶ポリマは必要としない。これら特徴は、他のタイプに比べ、荷重支持部材４２のより優れた性能と、より良好な経済性に寄与する。
【００１６】
例示的な一実施形態では、荷重支持部材４２は、Ｋｕｒａｒａｙ  Ｃｏｍｐａｎｙ，Ｌｔｄから得ることができる、ＶＥＣＴＲＡＮ（商標）を含んでいる。
【００１７】
図３は、荷重支持部材４２の実施形態の例示的構成を示している。この実施例では、液晶ポリマの長いファイバが編み合わせられて、荷重支持部材４２のロープ状の構成を確立している。
【００１８】
いくつかの実施形態では、導電体４０は、液晶ポリマをも含んでいる。図４は、そのような例示的導電体の１つの断面図である。液晶ポリマの中心コア５０は、金属コーティングの２つの層５２及び５４でコーティングされている。液晶ポリマコア５０により、導電体４０が、中実の銅で形成された導電体などの、純粋な金属の導電体よりも軽く、より高強度になる。図４に示す導電体４０は、全体が金属の導電体である慣習的な移動ケーブルに比べ、移動ケーブル２４を軽量で高強度にするのに寄与する。
【００１９】
本発明の実施形態により、移動ケーブルを支持するとともに収容するために必要なエレベータシステムの部分を単純化することができる、軽量な移動ケーブルが提供される。さらに、本発明の実施形態に従って設計された移動ケーブルにより、特に超高層ビルに設置する際に、システム全体の重量が低減される。
【００２０】
先の記載は、実際は、限定的というよりはむしろ説明的な性質である。上述し、図面に示したものに対する変形及び変更が可能である。そのような変形及び変更は、本発明の本質から必ずしも逸脱しない。本発明に与えられる法的保護の範囲は、添付の特許請求の範囲を知覚することによってのみ判定することができる。
【図１】
2018197166.tif 000003
【図２】
2018197166.tif 000004
【図３】
2018197166.tif 000005
【図４】
2018197166.tif 000006